(57)【要約】【課題】複数の無線通信デバイスを搭載する無線通信端末において、無線通信端末ユーザの利便性を高めること。【解決手段】要求データ情報保持部１０３は、データ送信端末が保持するデータに関する保持データ情報から、自端末が受信を要求するデータに関する情報を要求データ情報として抽出する。また、要求データ情報保持部１０３は、抽出した要求データ情報を要求データ情報保持部１０３が有するバッファに保持する。そして、起動制御部１０５は、要求データ情報が要求データ情報保持部１０３に保持されている状態で、第１無線通信デバイス１０１への操作を検出した場合、データ送信端末と第２無線通信によって通信するための第２無線通信デバイス１０２を起動させる。【選択図】図３
2009253621.tif 000002
【特許請求の範囲】
【請求項１】
データを保持するデータ送信端末と第１無線通信によって通信する第１無線通信デバイスと、
前記データ送信端末と第２無線通信によって通信する第２無線通信デバイスと、
前記データ送信端末が保持するデータに関する保持データ情報から、自端末が要求するデータに関する情報を要求データ情報として抽出する抽出手段と、
前記要求データ情報を保持する保持手段と、
前記要求データ情報が前記保持手段に保持されている状態で前記第１無線通信デバイスへの操作を検出した場合、前記第２無線通信デバイスを起動させる制御手段と、
を具備する無線通信端末。
【請求項２】
前記保持データ情報は、前記データ送信端末から通知される、
請求項１記載の無線通信端末。
【請求項３】
前記制御手段は、前記要求データ情報に、前記操作によって通信されるデータ送信端末が含まれる場合のみ、前記第２無線通信デバイスを起動させる、
請求項１記載の無線通信端末。
【請求項４】
前記制御手段は、前記保持データ情報で指定された時刻が経過した場合のみ、前記第２無線通信デバイスを起動させる、
請求項１記載の無線通信端末。
【請求項５】
前記第２無線通信デバイスによるデータ受信が完了したか否かを通知する通知手段、をさらに具備する、
請求項１記載の無線通信端末。
【請求項６】
前記第１無線通信は赤外線リモコン通信であり、
前記制御手段は、赤外線リモコンの操作内容に基づいて前記第２無線通信デバイスを用いて通信されるデータ送信端末を判断する、
請求項１記載の無線通信端末。
【請求項７】
前記第２無線通信はミリ波ＵＷＢ通信である、
請求項１記載の無線通信端末。
【請求項８】
前記第１無線通信デバイスの無線の指向と、前記第２無線通信デバイスの無線の指向とが同一方向である、
請求項１に記載の無線通信端末。
【請求項９】
データを保持するデータ送信端末と第１無線通信によって通信する第１無線通信デバイスと、前記データ送信端末と第２無線通信によって通信する第２無線通信デバイスとを有する無線通信端末におけるデバイス起動方法であって、
前記データ送信端末が保持するデータに関する保持データ情報から、自端末が要求するデータに関する情報を要求データ情報として抽出するステップと、
前記要求データ情報を保持するステップと、
前記要求データ情報が保持されている状態で前記第１無線通信デバイスへの操作を検出した場合、前記第２無線通信デバイスを起動させるステップと、
を具備するデバイス起動方法。
【発明の詳細な説明】
【技術分野】
【０００１】
本発明は、無線通信端末およびデバイス起動方法に関する。
【背景技術】
【０００２】
携帯電話に代表される無線通信端末の高機能化に伴い、無線通信端末を用いた電子メール、ＷＷＷ、音楽配信、ＰＣとのデータ交換、ＧＰＳによるナビゲーション等が実現され、無線通信端末の利用形態および利用データはますます多様化している。このような多様化に対応するため、赤外線、Ｂｌｕｅｔｏｏｔｈ（商標登録）、無線ＬＡＮ等の複数の無線通信デバイスが無線通信端末に搭載されている。
【０００３】
ＰＣ等の常時給電されている端末の場合、搭載されているすべての無線通信デバイスおよび有線通信デバイスは、その通信デバイスを用いた通信の有無に関わらず起動した状態のままであるのが一般的である。これにより、すべての通信デバイスでは、いつでもデータ受信が可能となる。しかし、携帯電話等の無線通信端末の場合、限られたバッテリ容量で連続使用時間を長くするために、公衆網通信デバイス以外の無線通信デバイスは停止している。このため、例えば、近くに存在する無線通信端末にデータを送信する場合、データ通信に用いる無線通信デバイスを起動させてデータ受信できるように準備しなければならないという問題がある。
【０００４】
この問題に対し、例えば、公衆網通信を利用して無線通信端末同士のＢｌｕｅｔｏｏｔｈデバイスを起動させてＢｌｕｅｔｏｏｔｈ通信を確立する従来技術がある（例えば、特許文献１参照）。
【０００５】
図１に示すように、Ｂｌｕｅｔｏｏｔｈ通信を要求する端末（イニシエータ端末）は、Ｂｌｕｅｔｏｏｔｈデバイスを起動させて（ＳＴ１０１）、相手端末（アクセプタ端末）に対してＢｌｕｅｔｏｏｔｈ通信による通信開始要求を公衆網通信で送信する（ＳＴ１０２）。アクセプタ端末は、イニシエータ端末からの通信開始要求を受信すると、この通信開始要求に同意するか否かを決定する（ＳＴ１０３）。同意する場合には（ＳＴ１０３：Ｙｅｓ）、アクセプタ端末は、Ｂｌｕｅｔｏｏｔｈデバイスを起動する（ＳＴ１０４）。そして、イニシエータ端末とアクセプタ端末との間でＢｌｕｅｔｏｏｔｈ接続セッションを確立し、Ｂｌｕｅｔｏｏｔｈ通信を開始する（ＳＴ１０５〜１０９）。
【特許文献１】特開２００３−１９８６７３号公報
【発明の開示】
【発明が解決しようとする課題】
【０００６】
このように、上記従来技術では、データ通信（Ｂｌｕｅｔｏｏｔｈ通信）を行うためには、無線通信デバイス（Ｂｌｕｅｔｏｏｔｈデバイス）の起動処理、および、通信接続（Ｂｌｕｅｔｏｏｔｈ接続セッション確立）処理の双方を別々に行う必要がある。そのため、データ通信を行うための無線通信端末ユーザの手間がかかってしまい、無線通信端末ユーザの利便性が大きく損なわれる。
【０００７】
本発明は、かかる点に鑑みてなされたものであり、複数の無線通信デバイスを搭載する無線通信端末において、無線通信端末ユーザの利便性を高めることができる無線通信端末およびデバイス起動方法を提供することを目的とする。
【課題を解決するための手段】
【０００８】
本発明の無線通信端末は、データを保持するデータ送信端末と第１無線通信によって通信する第１無線通信デバイスと、前記データ送信端末と第２無線通信によって通信する第２無線通信デバイスと、前記データ送信端末が保持するデータに関する保持データ情報から、自端末が要求するデータに関する情報を要求データ情報として抽出する抽出手段と、前記要求データ情報を保持する保持手段と、前記要求データ情報が前記保持手段に保持されている状態で前記第１無線通信デバイスへの操作を検出した場合、前記第２無線通信デバイスを起動させる制御手段と、を具備する構成を採る。
【０００９】
本発明のデバイス起動方法は、データを保持するデータ送信端末と第１無線通信によって通信する第１無線通信デバイスと、前記データ送信端末と第２無線通信によって通信する第２無線通信デバイスとを有する無線通信端末におけるデバイス起動方法であって、前記データ送信端末が保持するデータに関する保持データ情報から、自端末が要求するデータに関する情報を要求データ情報として抽出するステップと、前記要求データ情報を保持するステップと、前記要求データ情報が保持されている状態で前記第１無線通信デバイスへの操作を検出した場合、前記第２無線通信デバイスを起動させるステップと、で構成されるようにした。
【発明の効果】
【００１０】
本発明によれば、複数の無線通信デバイスを搭載する無線通信端末において、無線通信端末ユーザの利便性を高めることができる。
【発明を実施するための最良の形態】
【００１１】
以下、本発明の実施の形態について、添付図面を参照して詳細に説明する。
【００１２】
図２は、本発明の実施の形態に係る無線通信端末を含む無線通信システムを示す図である。図２に示す無線通信システムは、無線通信端末１００、データ送信端末２００ａ〜２００ｃで構成される。
【００１３】
無線通信端末１００は、データ送信端末２００ａ〜２００ｃと無線通信３００により通信する、後述する第１無線通信デバイス１０１、および、データ送信端末２００ａ〜２００ｃと無線通信４００により通信する、後述する第２無線通信デバイス１０２を有する。なお、無線通信端末１００は、データ送信端末２００ａ〜２００ｃと通信する他の無線通信デバイスを搭載してもよい。
【００１４】
データ送信端末２００ａ〜２００ｃは、無線通信端末１００に送信するデータを保持することが可能な端末である。また、データ送信端末２００ａ〜２００ｃは、データ送信端末２００ａ〜２００ｃが保持するデータ、または、保持予定のデータに関する情報（以下、保持データ情報という）を管理する。そして、データ送信端末２００ａ〜２００ｃは、必要に応じて保持データ情報を無線通信端末１００に通知する。
【００１５】
無線通信３００は、データ通信以外の通信を行うための無線通信である。ここでは、データ送信端末２００ａ〜２００ｃは、無線通信３００によって保持データ情報を無線通信端末１００に通知する。無線通信３００は、例えば、後述する無線通信４００と同様の無線通信でもよく、公衆網通信、無線ＬＡＮなど通信範囲が比較的広い無線通信でもよい。
【００１６】
無線通信４００は、データ通信を行うための無線通信である。ここでは、データ送信端末２００ａ〜２００ｃは、無線通信４００によって保持しているデータを無線通信端末１００に送信する。無線通信４００は、例えば、赤外線通信、Ｂｌｕｅｔｏｏｔｈ（登録商標）、または、ミリ波ＵＷＢ（Ｕｌｔｒａ  ＷｉｄｅＢａｎｄ）等の通信範囲が比較的狭い無線通信である。
【００１７】
次に、本発明の実施の形態に係る無線通信端末の構成について説明する。図３は、本実施の形態に係る無線通信端末１００の構成を示すブロック図である。以下の説明では、第１無線通信デバイス１０１は常時起動しているのに対し、第２無線通信デバイス１０２は停止している。
【００１８】
第１無線通信デバイス１０１は、図２に示すように、無線通信３００によってデータ送信端末２００ａ〜２００ｃと通信する無線通信デバイスである。第１無線通信デバイス１０１は、無線通信３００によってデータ送信端末２００から送信される保持データ情報を受信し、受信された保持データ情報を要求データ情報保持部１０３に出力する。
【００１９】
第２無線通信デバイス１０２は、図２に示すように、無線通信４００によってデータ送信端末２００ａ〜２００ｃからデータを受信する無線通信デバイスである。第２無線通信デバイス１０２は、無線通信４００によってデータ送信端末２００から送信されるデータを受信し、受信されたデータをデータ格納のためのバッファ（図示せず）に出力する。
【００２０】
要求データ情報保持部１０３は、データ送信端末２００ａ〜２００ｃ（図２）、または、その他の端末（図示せず）から通知される保持データ情報を、第１無線通信デバイス１０１を介して受信する。そして、要求データ情報保持部１０３は、保持データ情報から、自端末が受信を要求するデータに関する情報を要求データ情報として抽出する。そして、要求データ情報保持部１０３は、抽出した要求データ情報を、要求データ情報保持部１０３が有するバッファに保持する。ここで、保持データ情報は、データ送信端末２００ａ〜２００ｃが保持するデータに関する情報であり、保持データ情報には、データファイル名等のデータ自体を識別する情報(データ識別情報）が少なくとも含まれる。また、保持データ情報には、フィルタリングのための、データ内容等に関する情報（属性情報）が含まれてもよい。例えば、要求データ情報保持部１０３は、保持データ情報に示される情報のうち、自端末が受信を要求するデータのデータ識別情報および属性情報をフィルタリング情報としてバッファに予め登録する。そして、要求データ情報保持部１０３は、次回以降に保持データ情報を受信した場合、フィルタリング情報に基づいて要求データ情報を更新する。要求データ情報保持部１０３における要求データ情報の更新処理の詳細な説明については後述する。
【００２１】
通信処理部１０４は、第１無線通信デバイス１０１の起動、または、第１無線通信デバイス１０１を用いたデータ送信端末２００ａ〜２００ｃとの通信開始等の第１無線通信デバイス１０１に対する通信処理を行う。すなわち、通信処理部１０４により、第１無線通信デバイス１０１への操作が行われる。第１無線通信デバイス１０１への操作をする場合、通信処理部１０４は、第１無線通信デバイス１０１を操作することを示す制御情報を起動制御部１０５に出力する。
【００２２】
起動制御部１０５は、要求データ情報保持部１０３が保持する要求データ情報、および、通信処理部１０４から入力される制御情報に基づいて、第２無線通信デバイス１０２を起動するか否かを判断する。具体的には、起動制御部１０５は、要求データ情報が要求データ情報保持部１０３に保持されている状態で通信処理部１０４から入力される制御情報により、第１無線通信デバイス１０１への操作を検出した場合、第２無線通信デバイス１０２を起動させる制御を行う。そして、起動制御部１０５は、第２無線通信デバイス起動の制御結果をデータ受信部１０６に出力する。起動制御部１０５における起動制御処理の詳細については後述する。
【００２３】
データ受信部１０６は、起動制御部１０５から入力される制御結果が第２無線通信デバイス１０２を起動させることを示す場合、第２無線通信デバイス１０２を起動する。そして、データ受信部１０６は、データ送信端末２００からのデータを第２無線通信デバイス１０２を介して受信するデータ受信処理を行う。また、データ受信の切断、すなわち、無線通信４００によるデータ送信端末２００との無線接続が切断された場合、データ受信部１０６は、第２無線通信デバイス１０２を停止する。
【００２４】
次に、起動制御部１０５における起動制御処理の詳細について説明する。ここでは、図２において、無線通信端末１００とデータ送信端末２００ａとが通信する場合について説明する。
【００２５】
上述したように、起動制御部１０５は、要求データ情報が要求データ情報保持部１０３に保持されている状態で、第１無線通信デバイス１０１のへ操作を検出した場合、第２無線通信デバイス１０２を起動させる。
【００２６】
起動制御部１０５は、第２無線通信デバイス１０２の無駄な起動を防ぐために、さらに、以下の２つの方法を用いて第２無線通信デバイス１０２を起動させるか否かを判断する。
【００２７】
１つ目の方法として、起動制御部１０５は、第１無線通信デバイス１０１への操作が検出された場合、要求データ情報に、第１無線通信デバイス１０１のへ操作によって通信されるデータ送信端末２００ａが含まれるか否かに基づいて第２無線通信デバイス１０２を起動させるか否かを判断する。すなわち、起動制御部１０５では、データ送信端末２００ａが要求データ情報に示されるデータを保持しているか否かが判断される。ここで、要求データ情報には、上述したデータ識別情報および属性情報に加え、データを保持するデータ送信端末に関する情報（データ保持端末）が記録される。なお、第１無線通信デバイス１０１を用いて通信されるデータ送信端末２００の識別情報は、データ送信端末２００のネットワークアドレスまたはデータ送信端末２００から得られる端末名でもよい。また、第１無線通信デバイス１０１が赤外線デバイスであり、通信処理部１０４が赤外線リモコン操作を行う場合、起動制御部１０５は、赤外線リモコン操作の内容から、第１無線通信デバイス１０１への操作によって通信が行われるデータ送信端末２００を判断してもよい。
【００２８】
そして、起動制御部１０５は、第１無線通信デバイス１０１への操作によって通信されるデータ送信端末２００ａと、要求データ情報に示されるデータ保持端末とが一致するか否かを判断する。例えば、無線通信端末１００が第１無線通信デバイス１０１を用いてデータ送信端末２００ａと通信を開始する場合、起動制御部１０５は、要求データ情報にデータ送信端末２００ａが含まれる場合には、第２無線通信デバイス１０２を起動させる。一方、要求データ情報にデータ送信端末２００ａが含まれない場合には、起動制御部１０５は、第２無線通信デバイス１０２を起動させない。
【００２９】
これにより、第１無線通信デバイス１０１への操作時において、起動制御部１０５は、第１無線通信デバイス１０１を用いて通信されるデータ送信端末２００ａが要求データ情報に含まれる場合のみ、第２無線通信デバイス１０２を起動させる。すなわち、無線通信端末１００が受信を要求するデータを保持しているデータ送信端末２００ａに対して、第１無線通信デバイス１０１への操作が行われる場合のみ、第２無線通信デバイス１０２が起動する。
【００３０】
２つ目の方法として、起動制御部１０５は、第１無線通信デバイス１０１への操作を検出した場合、保持データ情報で指定された時刻に基づいて、第２無線通信デバイス１０２を起動させるか否かを判断する。具体的には、起動制御部１０５は、第１無線通信デバイス１０１への操作を検出した場合、保持データ情報で指定された時刻が経過した場合のみ、第２無線通信デバイス１０２を起動させる。換言すると、起動制御部１０５は、第１無線通信デバイス１０１への操作を検出した場合でも、保持データ情報で指定された時刻が経過していない場合には、第２無線通信デバイス１０２を起動させない。ここで、データ送信端末２００ａ〜２００ｃはデータを保持する予定時刻（保持予定時刻）をデータ保持状況として保持データ情報に含ませ、無線通信端末１００は受信する保持データ情報に含まれるデータ保持状況を、要求データ情報に追加する。なお、データ送信２００ａ〜２００ｃは既にデータを保持している場合、データ保持状況として保持していることを示し、保持予定時刻が未定の場合、データ保持状況として保持予定が未定であることを示してもよい。
【００３１】
起動制御部１０５は、要求データ情報保持部１０３が保持する要求データ情報に示される各保持予定時刻の中で最も早い保持予定時刻（最初にデータを保持する時刻）を算出する。そして、起動制御部１０５は、算出された時刻が経過した場合のみ、第２無線通信デバイス１０２を起動させる。換言すると、起動制御部１０５は、算出された時刻までは第２無線通信デバイス１０２を起動させない。
【００３２】
このようにして、第１無線通信デバイス１０１への操作時において、無線通信端末１００は、要求データ情報に含まれるデータをデータ送信端末２００ａが保持した場合のみ、第２無線通信デバイス１０２を起動させる。
【００３３】
また、起動制御部１０５は、１つ目の方法と２つ目の方法とを組み合わせてもよい。この場合、第１無線通信デバイス１０１への操作時において、要求データ情報にデータ送信端末２００ａが含まれていない場合、起動制御部１０５は第２無線通信デバイス１０２を起動させない。一方、要求データ情報にデータ送信端末２００ａが含まれている場合、起動制御部１０５は、要求データ情報に含まれるデータ送信端末２００毎に最初にデータを保持する保持予定時刻を算出する。ここで、データ送信端末２００毎に算出される保持予定時刻は異なる。そして、起動制御部１０５は、データ送信端末毎に算出された保持予定時刻のうち、データ送信端末２００ａの保持予定時刻以降に、第１無線通信デバイス１０１への操作を検出した場合、第２無線通信デバイス１０２を起動させる。
【００３４】
これにより、第１無線通信デバイス１０１への操作時において、要求データ情報にデータ送信端末２００ａが含まれる場合、かつ、データ送信端末２００ａがデータを保持する保持予定時刻以降である場合、第２無線通信デバイス１０２が起動される。すなわち、無線通信端末１００は、第１無線通信デバイス１０１の操作の相手が、受信を要求するデータを保持する、または、保持予定であるデータ送信端末２００ａであって、データ送信端末２００ａが実際にデータを保持した時刻以降に第２無線通信デバイス１０２を起動するため、第２無線通信デバイス１０２の無駄な起動を削減することができる。
【００３５】
次いで、起動制御部１０５における起動制御処理について図４に示すフローチャートを用いて説明する。
【００３６】
ステップ（以下、ＳＴという）２０１では、起動制御部１０５は、通信処理部１０４からの制御情報により、第１無線通信デバイス１０１への操作を検出する。
【００３７】
ＳＴ２０２では、起動制御部１０５は、データ送信端末２００ａのデータに関する要求データ情報が要求データ情報保持部１０３に保持されているか否かを判断する。
【００３８】
データ送信端末２００ａに関する要求データ情報が要求データ情報保持部１０３がに保持されている場合（ＳＴ２０２：Ｙｅｓ）、ＳＴ２０３では、起動制御部１０５は、第２無線通信デバイス１０２を起動させる。すなわち、起動制御部１０５は、第２無線通信デバイス１０２の起動をデータ受信部１０６に指示する。
【００３９】
ＳＴ２０４では、データ受信部１０６が第２無線通信デバイス１０２を起動し、無線通信４００によってデータ送信端末２００ａからのデータ受信を開始する。
【００４０】
データ受信がすべて完了した場合（ＳＴ２０５：Ｙｅｓ）、ＳＴ２０６では、要求データ情報保持部１０３は、保持する要求データ情報を更新する。具体的には、要求データ情報保持部１０３は、データ受信がすべて完了したデータに該当する情報を要求データ情報から削除する。一方、データ受信がすべて完了していない場合（ＳＴ２０５：Ｎｏ）、要求データ情報保持部１０３は、保持する要求データ情報を更新しない。
【００４１】
ＳＴ２０７では、データ受信部１０６は、無線通信４００によるデータ送信端末２００ａとの無線接続が切断後、第２無線通信デバイス１０２を停止する。
【００４２】
一方、データ送信端末２００ａに関する要求データ情報が要求データ情報保持部１０３に保持されていない場合（ＳＴ２０２：Ｎｏ）、起動制御部１０５は、第２無線通信デバイス１０２を起動させない。
【００４３】
このようにして、無線通信端末１００では、第１無線通信デバイス１０１への操作により、データ送信端末２００ａとの通信を開始することで、第２無線通信デバイスを自動的に起動することが可能となる。すなわち、無線通信端末１００では、第１無線通信デバイス１０１への操作によって、第２無線通信デバイス１０２を用いるデータ通信をデータ送信端末に対して要求すればよい。これにより、要求データ情報にデータ送信端末２００ａが含まれる場合には第２無線通信デバイス１０２が自動で起動されるため、無線通信端末１００ユーザは、第２無線通信デバイス１０２の起動を意識することなく、第２無線通信デバイス１０２を用いたデータ受信を行うことが可能となる。また、要求データ情報にデータ送信端末２００ａが含まれていない場合には第２無線通信デバイス１０２が起動されない。このため、無線通信端末１００では、無駄な電力消費を抑えることが可能となる。
【００４４】
次に、図２に示す無線通信システムを、携帯電話がテレビから録画番組を受信するシステムに適用した場合について説明する。以下の説明では、携帯電話とテレビ２台から構成されるシステムについて説明する。ここで、図２に示す無線通信端末１００を携帯電話とし、図２に示すデータ送信端末２００ａ、２００ｂそれぞれをテレビ１およびテレビ２とする。
【００４５】
ここで、第２無線通信デバイス１０２は、高速通信が可能な無線通信方式が望ましく、例えば、無線通信方式としてミリ波ＵＷＢ通信が考えられる。そこで、以下の説明では、一例として、無線通信端末１００（携帯電話）は、第１無線通信デバイス１０１として赤外線通信デバイスを有し、第２無線通信デバイス１０２としてミリ波ＵＷＢ通信デバイスを有する。すなわち、無線通信３００は赤外線通信であり、無線通信４００はミリ波ＵＷＢ通信である。また、無線通信端末１００（携帯電話）の通信処理部１０４では、赤外線リモコン操作が行われる。また、データ送信端末２００ａ（テレビ１）およびデータ送信端末２００ｂ（テレビ２）も、無線通信端末１００と同様、赤外線通信デバイスおよびミリ波ＵＷＢ通信デバイスを有する。
【００４６】
ここで、第１無線通信デバイス１０１を赤外線通信デバイスとし、第２無線通信デバイス１０２をミリ波ＵＷＢ通信デバイスとした場合、いずれも指向性無線である。また、第１無線通信デバイス１０１（赤外線通信デバイス）を用いて通信される通信相手と、第２無線通信デバイス１０２（ミリ波ＵＷＢ通信デバイス）を用いて通信される通信相手とは同一である可能性が高い。このため、無線通信端末１００が、赤外線通信によって通信するデータ送信端末２００と、ミリ波ＵＷＢ通信によって通信できるようにするには、第１無線通信デバイス１０１（赤外線通信デバイス）、および、第２無線通信デバイス１０２（ミリ波ＵＷＢ通信デバイス）の無線指向が同一方向となるようにすればよい。よって、各無線通信デバイスは同一方向に無線通信するように無線通信端末１００（携帯電話）の先端部にあることが望ましい。
【００４７】
また、無線通信端末１００（携帯電話）の要求データ情報保持部１０３は、図５に示す要求データ情報を保持する。具体的には、要求データ情報は、図５に示すように、データ自体を識別するデータ識別情報、データ内容を示す属性情報、データを保持する端末を示すデータ保持端末、データ通信に用いるデバイス（例えば、ミリ波ＵＷＢ、無線ＬＡＮ等）を示すデータ通信デバイス、および、各データ送信端末２００（テレビ）におけるデータ保持状況を示すデータ保持状況で構成される。例えば、要求データ情報保持部１０３がある時刻で保持している要求データ情報は、図５に示すように、自端末が受信を要求する３種類のデータで示される。例えば、１つ目の要求データ情報は、データ送信端末２００ａ（テレビ１）に番組録画予約した時点に登録された要求データ情報であり、図５に示すように、データ識別情報＝‘ＩＤ１’、属性情報＝‘予約録画番組’、データ保持端末＝‘テレビ１’、データ保持状況＝‘１０時’となる。図５に示す残り２つの要求データ情報は、携帯電話に登録したコンテンツの属性情報（ジャンル）を示す要求データ情報であり、属性情報＝‘サッカー情報’および‘Ａが出演している番組’、データ保持状況＝‘未’となる。ここで、データ保持状況＝‘１０時’は、１０時に番組録画が完了することを示し、データ保持状況＝‘未’は、データ送信端末（テレビ）がデータを保持していない状況を示す。なお、データ送信端末２００がデータを保持している場合のデータ保持状況は、‘保持’と示される。
【００４８】
例えば、時刻が１０時より前である場合、図５に示すように、データ送信端末２００ａ（テレビ１）またはデータ送信端末２００ｂ（テレビ２）のいずれにおいても、要求データ情報に示すデータを保持していない。そのため、無線通信端末１００では、図５に示す状態でデータ送信端末２００ａ（テレビ１）等への赤外線リモコン操作を行っても、起動制御部１０５は、ミリ波ＵＷＢ通信デバイスを起動させない。
【００４９】
ここで、要求データ情報保持部１０３が保持する要求データ情報は、データ送信端末２００ａ（テレビ１）、データ送信端末２００ｂ（テレビ２）またはその他の端末（例えば、家電管理サーバ等）から送信された保持データ情報が受信される度に更新される。なお、無線通信端末１００（携帯電話）が保持データ情報を受信するためには、例えば、保持データ情報を送信する各データ送信端末２００（例えば、テレビ１、テレビ２）に無線通信端末１００（携帯電話）のＩＰアドレスまたはメールアドレスを登録しておいてもよい。
【００５０】
以下、要求データ情報保持部１０３における要求データ情報の更新処理の詳細について図６に示すフローチャートを用いて説明する。
【００５１】
ＳＴ３０１では、要求データ情報保持部１０３は、無線通信３００（赤外線通信）によってデータ送信端末２００（テレビ）からの保持データ情報を受信する。ＳＴ３０２では、要求データ情報保持部１０３は、受信した保持データ情報に、自端末の要求データに関する情報が含まれるか否かを判断する。
【００５２】
保持データ情報に自端末の要求データに関する情報が含まれる場合（ＳＴ３０２：Ｙｅｓ）、ＳＴ３０３では、要求データ情報保持部１０３は、保持データ情報に示される情報のうち、自端末の要求データに関する情報を要求データ情報として抽出して、保持している要求データ情報を更新する。一方、保持データ情報に自端末の要求データに関する情報が含まれない場合（ＳＴ３０２：Ｎｏ）、要求データ情報保持部１０３は、保持している要求データ情報を更新しない。
【００５３】
図７は、保持データ情報の一例である。図７に示す保持データ情報の形式は、図５に示す要求データ情報の形式と同じである。図７に示す保持データ情報では、３種類のデータ（ＩＤ１、ＩＤ２、ＩＤ３）が各データ送信端末２００（テレビ１またはテレビ２）で保持され、１種類のデータ（ＩＤ４）がデータ送信端末２００のいずれかで削除されたことを示している。ただし、ＩＤ１のデータは、データ保持予定時刻が１０時３０分であることを示し、ＩＤ３のデータはデータ保持端末を識別する情報が無いことを示している。
【００５４】
要求データ情報保持部１０３は、図７に示す保持データ情報を受信した場合、保持している要求データ情報（図５）を更新する。ここで、図５と図７とを比較すると、図７に示すＩＤ１は図５に示す要求データ情報にも含まれるため、要求データ情報保持部１０３は、図７に示す保持データ情報のうち、ＩＤ１の情報を、図５に示すＩＤ１の情報に反映させる。また、図７に示すＩＤ２は図５に示す属性情報（ジャンル＝‘サッカー情報’）と一致するため、要求データ情報保持部１０３は、図７に示す保持データ情報のうち、ＩＤ２の情報を、図５に示す、属性情報がジャンル＝‘サッカー情報’である情報に反映させる。具体的には、図８に示すように、ＩＤ１では、データ通信デバイスに‘ミリ波ＵＷＢ’が追加され、データ保持情報が‘１０時３０分’に更新される。また、ＩＤ２では、データ保持端末に‘テレビ２’が追加され、データ通信デバイスに‘ミリ波ＵＷＢ＋無線ＬＡＮ’が追加され、データ保持状況に‘保持’が追加される。一方、図７に示すＩＤ３の属性情報は、図５に示すいずれの要求データ情報にも含まれないため、要求データ情報保持部１０３は、ＩＤ３の情報を要求データ情報に反映させない。
【００５５】
ここで、例えば、図８に示す要求データ情報が要求データ情報保持部１０３に保持された状態で、通信処理部１０４がデータ送信端末２００ａ（テレビ１）に対する赤外線リモコン操作を行った場合について説明する。まず、起動制御部１０５は、赤外線リモコン操作の内容から通信相手がデータ送信端末２００ａ（テレビ１）であることを特定する。そして、起動制御部１０５は、受信を要求するデータをデータ送信端末２００ａ（テレビ１）が保持しているか否かに基づいて、ミリ波ＵＷＢ通信デバイスを起動させるか否かを判断する。ここで、図８に示す要求データ情報より、時刻が１０時３０分を過ぎていればデータ送信端末２００ａ（テレビ１）が予約録画番組のデータを保持しているため、起動制御部１０５はミリ波ＵＷＢ通信デバイスを起動させる。そして、データ受信部１０６は、ミリ波ＵＷＢ通信によってデータ送信端末２００ａ（テレビ１）との通信を開始し、ＩＤ１で識別される予約録画番組のデータを受信する。
【００５６】
同様にして、図８に示す要求データ情報が要求データ情報保持部１０３に保持されている状態で、通信処理部１０４がデータ送信端末２００ｂ（テレビ２）に対する赤外線リモコン操作を行った場合について説明する。まず、起動制御部１０５は、赤外線リモコン操作の内容から通信相手がデータ送信端末２００ｂ（テレビ２）であることを特定する。そして、起動制御部１０５は、受信を要求するデータをデータ送信端末２００ｂ（テレビ２）が保持しているか否かに基づいて、ミリ波ＵＷＢ通信デバイスを起動させるか否かを判断する。すなわち、図８に示す要求データ情報より、データ送信端末２００ｂ（テレビ２）はＩＤ２で識別されるデータを既に保持しているため、起動制御部１０５は、ミリ波ＵＷＢ通信デバイスを起動させる。
【００５７】
データ送信端末２００（テレビ）からのデータ受信完了後、データ受信部１０６は、ミリ波ＵＷＢ通信デバイスを停止する。また、要求データ情報保持部１０３は、要求データ情報を更新する。例えば、図８に示す要求データ情報が要求データ情報保持部１０３に保持されている状態でデータ送信端末２００ａ（テレビ１）からＩＤ１で識別される予約録画番組のデータ受信が完了した場合、要求データ情報保持部１０３は、図９に示すように、要求データ情報からＩＤ１の情報を削除する。
【００５８】
なお、データ受信が完了したか否かを通知する通知部（図示せず）を無線通信端末１００（携帯電話）に備えてもよい。通知方法は、例えば、音、光、振動等を利用してもよい。例えば、第２無線通信デバイス１０２（例えば、ミリ波ＵＷＢデバイス）を起動してデータ受信が完了したとき、または、データ受信に失敗したとき、通知部は、無線通信端末１００（携帯電話）の待ち受け画面等にその旨を表示する。これによって、無線通信端末１００（携帯電話）のユーザにデータ受信に関する状況を速やかに伝えることが可能となる。
【００５９】
このように、本実施の形態によれば、無線通信端末は、受信を要求するデータに関する情報を示す要求データ情報が自端末に保持された状態で、データ送信端末に対する第１無線通信デバイスへの操作を検出した場合、データ受信のための第２無線通信デバイスを起動させる。すなわち、無線通信端末では、第１無線通信デバイスを操作するのみで、第２無線通信デバイスを自動的に起動することが可能となる。これにより、無線通信端末ユーザは、第２無線通信デバイスの起動を意識することなく、データ受信のための通信処理（例えば、データを保持するデータ送信端末に対して赤外線リモコンにより受信を要求する処理）のみを行えばよい。このため、データ通信を行うための無線通信端末ユーザの手間を省くことができる。よって、本実施の形態によれば、無線通信端末ユーザの利便性を高めることができる。
【００６０】
また、本実施の形態によれば、無線通信端末は、データ送信端末がデータを保持している場合のみ、第２無線通信デバイスを起動する。これにより、データ送信端末がデータを保持していない状態、つまり、データ受信が可能でない状況での第２無線通信デバイスの起動が削減されるため、無断な電力消費を抑えることができる。また、本実施の形態では、データ受信が完了後、第２無線通信デバイスが停止される。これにより、第２無線通信デバイスの起動時間をデータ受信時のみに限定することができるため、電力消費をより抑えることができる。
【００６１】
なお、本実施の形態では、無線通信端末１００が、第１無線通信デバイス１０１を用いて保持データ情報を受信する場合について説明した。しかし、本発明では、保持データ情報の受信に用いる無線通信デバイスは、第１無線通信デバイス１０１に限らず、第２無線通信デバイス１０２、または、その他の通信デバイス（図示せず）のいずれでもよい。例えば、無線通信端末１００は、第２無線通信デバイス１０２が起動している場合、第２無線通信デバイス１０２を用いて保持データ情報を受信してもよい。
【００６２】
また、本実施の形態では、要求データ情報保持部１０３が、データ送信端末から通知された保持データ情報から、受信を要求するデータに関する情報を要求データ情報として抽出し、抽出した要求データ情報を保持する場合について説明した。しかし、本発明では、要求データ情報保持部１０３は、受信した保持データ情報そのものを要求データ情報として保持してもよい。
【００６３】
また、本実施の形態では、第２無線通信デバイス１０２が１個の場合について説明した。しかし、本発明は、第２無線通信デバイス１０２が２個以上の場合についても適用することができる。このとき、複数の第２無線通信デバイス１０２のうち、データ受信に使用可能な第２無線通信デバイス１０２が保持データ情報に基づいて予め指定される。そして、無線通信端末１００の起動制御部１０５が第２無線通信デバイス１０２を起動させる場合、データ受信部１０６は、予め指定された第２無線通信デバイス１０２を起動するようにしてもよい。また、第１無線通信デバイス１０１を介して通信されるデータ送信端末２００から通知される第２無線通信デバイス１０２を起動してもよい。これにより、無線通信端末１００では、通信状況に応じて第２無線通信デバイス１０２を選択することが可能となるため、データ送信端末２００からのデータ受信をより安定させることができる。
【００６４】
また、一般に、第１無線通信デバイス１０１の通信方式および第２無線通信デバイス１０２の通信方式は異なるため、通信特性、特にそれぞれの通信方式における通信範囲が異なる。そこで、第２無線通信デバイス１０２による通信範囲が第１無線通信デバイス１０１による通信範囲を包含するように、第１無線通信デバイス１０１および第２無線通信デバイス１０２の通信方式を選択してもよい。また、第２無線通信デバイス１０２による通信範囲が第１無線通信デバイス１０１による通信範囲を包含するように、それぞれの無線通信デバイスの通信出力を設定してもよい。これにより、例えば、第１無線通信デバイス１０１を用いたデータ送信端末２００ａとの通信が可能な場合、無線通信端末１００は、第２無線通信デバイス１０２を用いたデータ送信端末２００ａとの通信も可能となる。よって、上記実施の形態で説明したように、無線通信端末１００は、要求データ情報が自端末に保持されている状態で、第１無線通信デバイス１０１への操作を検出したときに第２無線通信デバイス１０２を起動させることで、第２無線通信デバイス１０２によるデータ受信を確実に行うことが可能となる。よって、第２無線通信デバイス１０２の不要な起動を抑えることが可能となる。
【００６５】
また、本実施の形態では、第１無線通信デバイス１０１への操作時（例えば、赤外線リモコン操作時）において、要求データ情報にデータ保持端末が含まれている場合、第２無線通信デバイス１０２を起動する場合について説明した。しかし、本発明では、第１無線通信デバイス１０１への操作時（赤外線リモコン操作時）において、要求データ情報にデータ保持端末が含まれていない場合、または、第１無線通信デバイス１０１の操作（赤外線リモコン操作）の内容から通信相手を特定できない場合、起動制御部１０５は、要求データ情報に少なくとも１つのデータが含まれていれば、第２無線通信デバイス１０２（例えば、ミリ波ＵＷＢデバイス）を起動させてもよい。例えば、図５に示す属性情報＝‘サッカー情報’を保持するデータ送信端末が不明である場合、起動制御部１０５は、第１無線通信デバイス１０１の操作（赤外線リモコン操作）の対象に依らず、第２無線通信デバイス１０２（ミリ波ＵＷＢデバイス）を起動させる。
【００６６】
また、本実施の形態では、無線通信端末が、データ送信端末から通知される保持データ情報に基づいてデータ送信端末のデータの保持状況を特定する場合について説明した。しかし、本発明では、例えば、無線通信端末は、データ送信端末が保持しているデータをデータ送信端末に問い合わせてもよい。そして、データ送信端末が要求データ情報に合致するデータを保持していることを確認した場合、第２無線通信デバイスを起動してもよい。また、受信を要求するデータをデータ送信端末が保持していると判断できる場合、無線通信端末は、受信を要求するデータを指定してデータ受信を要求してもよい。また、データ送信端末がデータを繰り返し放送している場合、無線通信端末は、データを受信するための第２無線通信デバイスを起動して放送されているデータを受信してもよい。
【産業上の利用可能性】
【００６７】
本発明は、移動体通信システム等に適用することができる。
【図面の簡単な説明】
【００６８】
【図１】従来のＢｌｕｅｔｏｏｔｈ起動処理を示す図
【図２】本発明の実施の形態に係る無線通信端末を含む無線通信システムを示す図
【図３】本発明の実施の形態に係る無線通信端末の構成を示すブロック図
【図４】本発明の実施の形態に係る第２無線通信デバイスの起動制御処理の流れを示すフローチャート
【図５】本発明の実施の形態に係る保持データ情報受信前の要求データ情報を示す図
【図６】本発明の実施の形態に係る要求データ情報の更新処理の流れを示すフローチャート
【図７】本発明の実施の形態に係る保持データ情報を示す図
【図８】本発明の実施の形態に係る保持データ情報受信後の要求データ情報を示す図
【図９】本発明の実施の形態に係るデータ受信が完了した後の要求データ情報を示す図
【符号の説明】
【００６９】
１００  無線通信端末
１０１  第１無線通信デバイス
１０２  第２無線通信デバイス
１０３  要求データ情報保持部
１０４  通信処理部
１０５  起動制御部
１０６  データ受信部
２００ａ〜２００ｃ  データ送信端末
３００，４００  無線通信
【図１】
2009253621.tif 000003
【図２】
2009253621.tif 000004
【図３】
2009253621.tif 000005
【図４】
2009253621.tif 000006
【図５】
2009253621.tif 000007
【図６】
2009253621.tif 000008
【図７】
2009253621.tif 000009
【図８】
2009253621.tif 000010
【図９】
2009253621.tif 000011